(57)【要約】【課題】設置作業が容易に行えると共に、器体下部へのネズミ等の侵入も好適に防止できるようにする。【解決手段】テーブルコンロ１において、器体２の前側底面には、前指掛け部１４Ａ，１４Ｂが凹設される一方、器体２の背面には、後指掛け部１５が設けられている。よって、キッチンの壁２０とシンク壁面２１との間のスペースＳに設置する場合、例えば左側の前指掛け部１４Ａに左手を、後指掛け部１５に右手をそれぞれ掛けるようにすれば、器体２を支持することができるため、そのまま当該スペースＳへ容易に設置することができる。【選択図】図９
2014035159.tif 000002
【特許請求の範囲】
【請求項１】
器体の前側底面に前指掛け部を、背面に後指掛け部をそれぞれ設けたことを特徴とするテーブルコンロ。
【請求項２】
前記前指掛け部と前記後指掛け部とは平面視で器体の対角線上に配置されることを特徴とする請求項１に記載のテーブルコンロ。
【請求項３】
前記器体の前側底面に、前方へ行くに従って上方へせり上がる傾斜を付与したことを特徴とする請求項１又は２に記載のテーブルコンロ。
【請求項４】
前記器体と設置面との隙間を１０ｍｍ以下としたことを特徴とする請求項１乃至３の何れかに記載のテーブルコンロ。
【発明の詳細な説明】
【技術分野】
【０００１】
本発明は、テーブルコンロに関する。
【背景技術】
【０００２】
テーブルコンロは、例えば特許文献１に開示の如く、器体の天板に、コンロバーナをそれぞれ有する左右のコンロ部を備える一方、両コンロ部の間で器体の内部に、グリルを備えてなるものが知られている。
このようなテーブルコンロは、キッチンの壁とシンク壁面との間に形成されるスペースに設置される。設置作業の際には、作業者は器体の下端を左右から抱えるように支持して当該スペースに設置することになる。
【先行技術文献】
【特許文献】
【０００３】
【特許文献１】特開２０１２−８２９９９号公報
【発明の概要】
【発明が解決しようとする課題】
【０００４】
しかし、テーブルコンロは、キッチンの壁とシンク壁面との間のスペースに左右方向で殆ど隙間なく設置されるため、設置作業が非常にやりにくいという問題があった。また、器体の左右下端に手を出し入れできるように、テーブルコンロの脚を高くして器体の下端と設置面との間に隙間（２６〜３２ｍｍ）を確保する必要があるが、当該隙間のために器体の下部へネズミ等の侵入を許してしまう。
【０００５】
そこで、本発明は、設置作業が容易に行えると共に、器体下部へのネズミ等の侵入も好適に防止できるテーブルコンロを提供することを目的としたものである。
【課題を解決するための手段】
【０００６】
上記目的を達成するために、請求項１に記載の発明は、器体の前側底面に前指掛け部を、背面に後指掛け部をそれぞれ設けたことを特徴とするものである。
請求項２に記載の発明は、請求項１の構成において、前指掛け部と後指掛け部とは平面視で器体の対角線上に配置されることを特徴とするものである。
請求項３に記載の発明は、請求項１又は２の構成において、器体の前側底面に、前方へ行くに従って上方へせり上がる傾斜を付与したことを特徴とするものである。
請求項４に記載の発明は、請求項１乃至３の何れかの構成において、器体と設置面との隙間を１０ｍｍ以下としたことを特徴とするものである。
【発明の効果】
【０００７】
請求項１に記載の発明によれば、器体の前側底面に前指掛け部を、背面に後指掛け部をそれぞれ設けたことで、前指掛け部と後指掛け部とを利用して設置作業を容易に行うことができる。また、器体の下端に手を掛ける必要がないため、器体と設置面との隙間を小さくして器体下部へのネズミ等の侵入を好適に防止可能となる。
請求項２に記載の発明によれば、請求項１の効果に加えて、前指掛け部と後指掛け部とは対角線上に配置されているので、器体を両手で支持しやすい位置に指掛け部が配置可能となる。
請求項３に記載の発明によれば、請求項１又は２の効果に加えて、器体の前側底面に、前方へ行くに従って上方へせり上がる傾斜を付与したことで、前指掛け部への指掛けが楽に行える。
請求項４に記載の発明によれば、請求項１乃至３の何れかの効果に加えて、器体と設置面との隙間を１０ｍｍ以下としたことで、ネズミ等の侵入防止に有効な隙間が設定可能となる。
【図面の簡単な説明】
【０００８】
【図１】テーブルコンロの斜視図である。
【図２】テーブルコンロの正面図である。
【図３】テーブルコンロの背面図である。
【図４】テーブルコンロの平面図である。
【図５】テーブルコンロの底面図である。
【図６】テーブルコンロの右側面図である。
【図７】テーブルコンロの前側部分の斜視図である。
【図８】テーブルコンロの後側部分の斜視図である。
【図９】テーブルコンロの設置状態を示す説明図である。
【発明を実施するための形態】
【０００９】
以下、本発明の実施の形態を図面に基づいて説明する。
図１は、テーブルコンロの一例を示す斜視図、図２は正面図、図３は背面図、図４は平面図、図５は底面図、図６は右側面図で、テーブルコンロ１は、平面視四角形状の器体２を有し、器体２の上部に設けた天板３には、左右一対の左コンロ部４と右コンロ部５とが設けられており、両コンロ部４，５の間で器体２内部には、グリル６が設けられている。７，７は各コンロ部４，５に設けられたバーナ、８，８は五徳である。
【００１０】
また、ここでの器体２の正面は、図６，７にも示すように、上端から下方へ行くに従って前方へ突出するように傾斜した傾斜正面９となっている。さらに、器体２の前側底面も、前方へ行くに従って上向きにせり上がるように傾斜した傾斜底面１０となっている。器体２の傾斜正面９には、各コンロ部４，５及びグリル６に対応した点消火ボタン１１，１１・・と火力調節レバー１２，１２・・とがそれぞれ設けられている。
加えて、図５に示すように、器体２の底面において、後側の２つのコーナー部と、傾斜底面１０よりも後方に位置する前側の左右両側部位とには、円形の脚１３，１３・・がそれぞれ固着されている。
【００１１】
そして、器体２の傾斜底面１０の左右両側には、前指掛け部１４Ａ，１４Ｂが凹設されている。この前指掛け部１４Ａ，１４Ｂは、左右同じ大きさ及び深さで形成される四角形状の凹部となっている。こうして傾斜底面１０に前指掛け部１４Ａ，１４Ｂが凹設されていても、傾斜正面９に点消火ボタン１１が突出していることで、上方から前指掛け部１４Ａ，１４Ｂは視認しにくいようになっている。
一方、図３，８にも示すように、器体２の背面において、右側面寄りの部位には、後指掛け部１５が設けられている。この後指掛け部１５は、器体２の背面に形成された図示しない透孔に、合成樹脂成形品の取手を嵌着して形成されている。
ここでは、左側の前指掛け部１４Ａと後指掛け部１５とは平面視で対角線上に位置している。
【００１２】
以上の如く構成されたテーブルコンロ１においては、図９に示すようにキッチンの壁２０とシンク壁面２１との間のスペースＳに設置する場合、例えば左側の前指掛け部１４Ａに左手を、後指掛け部１５に右手をそれぞれ掛けるようにすれば、器体２を支持することができるため、そのまま当該スペースＳに設置することができる。このとき、両手は器体２の左右に位置しないため、左右に手が入るスペースがなくても器体２の設置は容易に行える。
また、器体２の下端に手を掛ける必要がないため、脚１３の高さを小さくして器体２とスペースＳの設置面との隙間を小さく（１０ｍｍ以下）することができる。
【００１３】
このように、上記形態のテーブルコンロ１によれば、器体２の前側底面に前指掛け部１４Ａ，１４Ｂを、背面に後指掛け部１５をそれぞれ設けたことで、前指掛け部１４Ａ，１４Ｂと後指掛け部１５とを利用して設置作業を容易に行うことができる。この場合、前指掛け部１４Ａ，１４Ｂ及び後指掛け部１５に指を掛けた状態で器体２の側方に腕がはみ出ることなく、スペースＳの載置台上への器体２の持上げや押し込み等の作業を行うことができる。このため、器具の左右にほとんど隙間がないような場合でも設置作業を容易に行うことができる。また、器体２の下端に手を掛ける必要がないため、器体２とスペースＳの設置面との隙間を小さくして器体下部へのネズミ等の侵入を好適に防止可能となる。
【００１４】
特にここでは、前指掛け部１４Ａと後指掛け部１５とは平面視で器体２の対角線上に配置されているので、器体２を両手で支持しやすい位置に指掛け部が配置可能となる。
また、器体２の前側底面に、前方へ行くに従って上方へせり上がる傾斜を付与したことで、前指掛け部１４Ａ，１４Ｂへの指掛けが楽に行える。
さらに、器体２と設置面との隙間を１０ｍｍ以下としたことで、ネズミ等の侵入防止に有効な隙間が設定可能となる。
【００１５】
なお、上記形態では、前指掛け部を左右一対設けているが、左側のみ或いは右側のみに設けることもできる。また、後指掛け部は、一つに限らず、左右一対設けることもできる。さらに、前指掛け部を凹部、後指掛け部を合成樹脂成形品の取手としているが、これを逆にして前指掛け部を合成樹脂成形品の取手とし、後指掛け部を凹部としてもよい。勿論どちらも凹部または合成樹脂成形品の取手とすることもできる。但し、指掛け部としては凹設される形態に限らず、器体から突出することで指が掛けられる構造であってもよい。
一方、前指掛け部が設けられる前側底面は傾斜底面となっているが、傾斜底面でなくても差し支えない。
その他、テーブルコンロ自体の構成も、左右コンロ部の間にもコンロ部がある三口タイプやグリルがないタイプ等であっても本発明の適用は妨げない。
【符号の説明】
【００１６】
１・・テーブルコンロ、２・・器体、３・・天板、４・・左コンロ部、５・・右コンロ部、６・・グリル、７・・バーナ、８・・五徳、９・・傾斜正面、１０・・傾斜底面、１１・・点消火ボタン、１２・・火力調節レバー、１３・・脚、１４Ａ，１４Ｂ・・前指掛け部、１５・・後指掛け部、２０・・キッチンの壁、２１・・シンク壁面、Ｓ・・スペース。
【図１】
2014035159.tif 000003
【図２】
2014035159.tif 000004
【図３】
2014035159.tif 000005
【図４】
2014035159.tif 000006
【図５】
2014035159.tif 000007
【図６】
2014035159.tif 000008
【図７】
2014035159.tif 000009
【図８】
2014035159.tif 000010
【図９】
2014035159.tif 000011